(57)【特許請求の範囲】
【請求項１】
無線通信デバイスであって、
第１のサンプリングレートにおける第１の複数の時間領域サンプルを含むアナログシングルキャリア無線通信信号を受信し、該アナログシングルキャリア無線通信信号を、前記第１のサンプリングレートより大きい第２のサンプリングレートにおける第２の複数の時間領域サンプルを含むデジタル信号に変換し、該第２の複数の時間領域サンプルを第１の複数の周波数領域サンプルに変換し、該第１の複数の周波数領域サンプルを、前記第１のサンプリングレートにおける第２の複数の周波数領域サンプルにマッピングする、受信機
を備えた、無線通信デバイス。
【請求項２】
前記第１の複数の周波数領域サンプルをマッピングすることは、前記第１の複数の周波数領域サンプルの少なくとも２つのサブセットを組み合わせることによって前記第２の複数の周波数領域のサンプルの少なくとも１つのサブセットを決定することを含む、請求項１に記載の無線通信デバイス。
【請求項３】
前記第１の複数の周波数領域サンプルは、周波数領域サンプルの６つのサブセットを備え、前記第２の複数の周波数領域サンプルは、周波数領域サンプルの４つのサブセットを備え、前記第１の複数の周波数領域サンプルをマッピングすることは、前記６つのサブセットのうちの第１のサブセットを前記４つのサブセットのうちの第１のサブセットにマッピングし、前記６つのサブセットのうちの第２及び第４のサブセットを前記４つのサブセットのうちの第２のサブセットにマッピングし、前記６つのサブセットのうちの第３及び第５のサブセットを前記４つのサブセットのうちの第３のサブセットにマッピングし、前記６つのサブセットのうちの第６のサブセットを前記４つのサブセットのうちの第４のサブセットにマッピングすることを含む、請求項２に記載の無線通信デバイス。
【請求項４】
前記周波数領域サンプルの６つのサブセットの各々のサイズは、前記周波数領域サンプルの４つのサブセットの各々のサイズと等しい、請求項３に記載の無線通信デバイス。
【請求項５】
前記第２のサンプリングレートは、少なくとも前記第１のサンプリングレートの１．５倍である、請求項１乃至４のいずれかに記載の無線通信デバイス。
【請求項６】
前記第１の複数の時間領域サンプルは５１２個のサンプルを含み、前記第２の複数の時間領域サンプルは７６８個のサンプルを含む、請求項５に記載の無線通信デバイス。
【請求項７】
前記シングルキャリア無線通信信号は、シングルキャリア周波数領域等化信号である、請求項１乃至６のいずれかに記載の無線通信デバイス。
【請求項８】
前記受信機は、高速フーリエ変換を前記第２の複数の時間領域サンプルに適用することによって、前記第２の複数の時間領域サンプルを前記第１の複数の周波数領域サンプルに変換する、請求項１乃至７のいずれかに記載の無線通信デバイス。
【請求項９】
前記第１のサンプリングレートは、直交周波数分割多重化スキーマのサンプリングレートである、請求項１乃至８のいずれかに記載の無線通信デバイス。
【請求項１０】
第１のサンプリングレートにおける第１の数のサンプルを含む第１の複数の時間領域サンプルを含む、アナログシングルキャリア無線通信信号を受信するステップと、
前記アナログシングルキャリア無線通信信号を、前記第１のサンプリングレートより大きい第２のサンプリングレートにおける第２の数のサンプルを含む第２の複数の時間領域サンプルを含むデジタル信号に変換するステップと、
前記第２の複数の時間領域サンプルを、前記第２の数のサンプルを含む第１の複数の周波数領域サンプルに変換するステップと、
前記第１の複数の周波数領域サンプルを、前記第１の数のサンプルを含む第２の複数の周波数領域サンプルにマッピングするステップと
を含む、無線通信方法。
【請求項１１】
前記第１の複数の周波数領域サンプルをマッピングするステップは、前記第１の複数の周波数領域サンプルの少なくとも２つのサブセットを組み合わせることによって前記第２の複数の周波数領域のサンプルの少なくとも１つのサブセットを決定することを含む、請求項１０に記載の方法。
【請求項１２】
前記第１の複数の周波数領域サンプルは、周波数領域サンプルの６つのサブセットを備え、前記第２の複数の周波数領域サンプルは、周波数領域サンプルの４つのサブセットを備え、前記第１の複数の周波数領域サンプルをマッピングするステップは、前記６つのサブセットのうちの第１のサブセットを前記４つのサブセットのうちの第１のサブセットにマッピングし、前記６つのサブセットのうちの第２及び第４のサブセットを前記４つのサブセットのうちの第２のサブセットにマッピングし、前記６つのサブセットのうちの第３及び第５のサブセットを前記４つのサブセットのうちの第３のサブセットにマッピングし、前記６つのサブセットのうちの第６のサブセットを前記４つのサブセットのうちの第４のサブセットにマッピングすることを含む、請求項１１に記載の方法。
【請求項１３】
前記周波数領域サンプルの６つのサブセットの各々のサイズは、前記周波数領域サンプルの４つのサブセットの各々のサイズと等しい、請求項１２に記載の方法。
【請求項１４】
前記第２の数は、少なくとも前記第１の数の１．５倍である、請求項１０乃至１３のいずれかに記載の方法。
【請求項１５】
前記第１の数は５１２であり、前記第２の数は７６８である、請求項１４に記載の方法。
【請求項１６】
前記シングルキャリア無線通信信号は、シングルキャリア周波数領域等化信号である、請求項１０乃至１５のいずれかに記載の方法。
【請求項１７】
前記第２の複数の時間領域サンプルを前記第１の複数の周波数領域サンプルに変換するステップは、高速フーリエ変換を前記第２の複数の時間領域サンプルに適用することを含む、請求項１０乃至１６のいずれかに記載の方法。
【請求項１８】
前記高速フーリエ変換は、前記第２の数と等しいサイズを有する、請求項１７に記載の方法。
【請求項１９】
前記第１のサンプリングレートは、直交周波数分割多重化スキーマのサンプリングレートである、請求項１０乃至１８のいずれかに記載の方法。
【発明の詳細な説明】
【技術分野】
【０００１】
本発明は、シングルキャリア無線通信信号を処理するデバイス、システム及び方法に関する。
【背景技術】
【０００２】
様々な変調スキーマが無線通信のために実装されている。例えば第１の変調スキーマは、直交周波数分割多重（ＯＦＤＭ：Ｏｒｔｈｏｇｏｎａｌ−Ｆｒｅｑｕｅｎｃｙ−Ｄｉｖｉｓｉｏｎ−Ｍｕｌｔｉｐｌｅｘｉｎｇ）変調スキーマを含む。第２の変調スキーマは、シングルキャリア（ＳＣ：ｓｉｎｇｌｅ−ｃａｒｒｉｅｒ）変調スキーマ、例えばシングルキャリア周波数領域等化（ＳＣ−ＦＤＥ：ＳＣ  Ｆｒｅｑｕｅｎｃｙ−Ｄｏｍａｉｎ  Ｅｑｕａｌｉｚａｔｉｏｎ）変調スキーマを含む。これら双方の通信スキーマは、互いに対する有用性と欠点とを有する。
【０００３】
一部の無線通信システムは２つの変調スキーマ、例えばＯＦＤＭ変調スキーマとＳＣ−ＦＤＥ変調スキーマとの双方を実装することができる。例えば、ＩＥＥＥ８０２．１１のタスクグループａｄ（ＴＧＡＤ）の仕様は、ＯＦＤＭ変調スキーマとＳＣ−ＦＤＥ変調スキーマとの双方を用いる。２つの異なる変調スキーマをサポートする幾つかの物理（ＰＨＹ：Ｐｈｙｓｉｃａｌ）レイヤプロトコルの実装は、最終製品の設計を複雑にする。
【０００４】
ＯＦＤＭ変調スキーマとＳＣ−ＦＤＥ変調スキーマは、異なるサンプリングレートを用いる。したがって、ＯＦＤＭ信号とＳＣ−ＦＤＥ信号の処理は、異なるサンプリングレートを有する２つの別個のアナログデジタル変換器（ＡＤＣ：Ａｎａｌｏｇ  ｔｏ  Ｄｉｇｉｔａｌ  Ｃｏｎｖｅｔｅｒ）を使用することを必要とする。しかしながら、２つのＡＤＣの使用は複雑性を高める。ＳＣ−ＦＤＥ信号とＯＦＤＭ信号の双方を処理するのに、同じサンプリングレートを適用する１つのＡＤＣを実装することが有利である。
【０００５】
共通のＡＤＣを実装する受信機は、ＯＦＤＭ変調スキーマのサンプリングレートを用いることができる。ＯＦＤＭサンプリングレートでサンプリングされたＳＣ−ＦＤＥ信号の更なる処理のために、受信機は、ＡＤＣの後に時間領域の再サンプリングスキーマを用いて、ＯＦＤＭサンプリングレートとＳＣ−ＦＤＥサンプリングレートとの間を変換する。例えば受信機は、サンプル間にゼロを挿入してサンプルの数を倍にし、挿入されたゼロの位置でＳＣ−ＦＤＥサンプルの値を近似し、近似されたサンプルを、例えば３サンプルごとにサンプリングするなど、低減されたサンプリングレートでサンプリングすることができる。有限の長さの時間領域補間フィルタであり得るこの近似は、例えば理論上の理想的な再サンプリングスキーマと比べて性能の低下につながる。
【発明の概要】
【０００６】
一部の例示的な実施形態は、シングルキャリア無線通信信号を処理するデバイス、システム及び／又は方法を含む。例えばデバイスは、第１のサンプリングレートにおける第１の複数の時間領域サンプルを表すアナログシングルキャリア無線通信信号を受信し、当該アナログシングルキャリア無線通信信号を、前記第１のサンプリングレートより大きい第２のサンプリングレートにおける第２の複数の時間領域サンプルを含むデジタル信号に変換し、当該第２の複数の時間領域サンプルを、第１の複数の周波数領域サンプルに変換し、当該第１の複数の周波数領域サンプルを、前記第１のサンプリングレートにおける第２の複数の周波数領域サンプルにマッピングする、受信機を含む。
【０００７】
図面に示されている要素は、例示の簡潔性及び明確性のために、必ずしも一定の縮尺で描かれてはいない。表現の明確性のために、例えば図面内の要素の一部の寸法が、他の要素に対して誇張されることがある。さらに、参照符号は、対応する要素又は類似する要素を示すのに図面内において繰り返し使用される。図面は以下に列挙する通りである。
【図面の簡単な説明】
【０００８】
【図１】一部の例示的な実施形態によるシステムのスキーマブロック図である。
【図２Ａ】一部の例示的な実施形態に従ってシングルキャリア周波数領域等化（ＳＣ−ＦＤＥ：Ｓｉｎｇｌｅ−Ｃａｒｒｉｅｒ  Ｆｒｅｑｕｅｎｃｙ  Ｄｏｍａｉｎ  Ｅｑｕａｌｉｚａｔｉｏｎ）サンプリングレートでサンプリングされたＳＣ−ＦＤＥ変調信号の構造の概略図である。
【図２Ｂ】一部の例示的な実施形態に従って直交周波数分割多重化（ＯＦＤＭ：Ｏｒｔｈｏｇｏｎａｌ−Ｆｒｅｑｕｅｎｃｙ−Ｄｉｖｉｓｉｏｎ−Ｍｕｌｔｉｐｌｅｘｉｎｇ）サンプリングレートでサンプリングされたＳＣ−ＦＤＥ信号の構造の概略図である。
【図３Ａ】一部の例示的な実施形態に従ってＳＣ−ＦＤＥサンプリングレートでサンプリングされたＳＣ−ＦＤＥ信号のスペクトルを示すグラフの概略図である。
【図３Ｂ】一部の例示的な実施形態に従ってＯＦＤＭサンプリングレートでサンプリングされたＳＣ−ＦＤＥ信号のスペクトルを示すグラフの概略図である。
【図４】一部の例示的な実施形態によるマッピングスキーマの概略図である。
【図５】一部の例示的な実施形態に従ってシングルキャリア無線通信信号を処理する方法の概略的フローチャート図である。
【図６】一部の例示的な実施形態に従って、ＳＣ−ＦＤＥ周波数帯域及びＯＦＤＭ周波数帯域と比較した、平方根二乗余弦（ＳＲＲＣ：Ｓｑｕａｒｅ  Ｒｏｏｔ  Ｒａｉｓｅｄ  Ｃｏｓｉｎｅ）フィルタの周波数応答機能を示すグラフの概略図である。
【図７】一部の例示的な実施形態に従って、時間領域の理論上の再サンプリングスキーマと、近似された時間領域の再サンプリングスキーマと、周波数領域の再サンプリングスキーマとにそれぞれ対応する、３つの受信機の性能曲線を示すグラフの概略図である。
【発明を実施するための形態】
【０００９】
以下の発明を実施するための形態の項では、一部の実施形態の完全な理解を提供するために様々な具体的な詳細を説明する。しかしながら、当業者には、これらの具体的な詳細を用いることなく一部の実施形態を実施することができることが理解されよう。他の例では、議論を不明瞭にしないように、周知の方法、手順、コンポーネント、装置及び／又は回路を詳細には説明しない。
【００１０】
本明細書において、例えば「処理する」、「算出する」、「計算する」、「決定する」、「確立する」、「分析する」、「チェックする」又は同様の用語を使用した記述は、コンピュータのレジスタ及び／又はメモリ内の物理的な（例えば電気）量として表されるデータを、そのコンピュータのレジスタ及び／又はメモリ又はオペレーション及び／又はプロセスを実行する命令を格納する他の情報記憶媒体内の物理的な量と同様に表される他のデータへと操作及び／又は変換する、コンピュータ、コンピュータプラットフォーム、コンピュータシステム、あるいは他のコンピューティングデバイスのオペレーション及び／又はプロセスを指す。
【００１１】
本明細書で使用されるとき、「複数」及び「複数の」という用語は、例えば「多数」あるいは「２つ又はそれ以上」を含む。例えば「複数のアイテム」は「２つ又はそれ以上のアイテム」を含む。
【００１２】
一部の実施形態は、様々なデバイス及びシステムとともに使用されることがあり、そのようなデバイス及びシステムには、例えばパーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、個人用携帯情報端末（ＰＤＡ）デバイス、ハンドヘルドＰＤＡデバイス、オンボードデバイス、オフボードデバイス、ハイブリッドデバイス、車両デバイス、非車両デバイス、モバイル若しくはポータブルデバイス、消費者デバイス、非モバイル若しくは非ポータブルデバイス、無線通信局、無線通信デバイス、無線アクセスポイント（ＡＰ）、有線若しくは無線ルータ、有線若しくは無線モデム、ビデオデバイス、オーディオデバイス、オーディオ／ビデオ（Ａ／Ｖ）デバイス、セットトップボックス（ＳＴＢ）、Ｂｌｕ−ｒａｙ（登録商標）（ＢＤ）プレイヤ、ＢＤレコーダ、デジタル多用途ディスク（ＤＶＤ）プレイヤ、高解像度（ＨＤ）ＤＶＤプレイヤ、ＤＶＤレコーダ、ＨＤ  ＤＶＤレコーダ、パーソナルビデオレコーダ（ＰＶＲ）、放送用ＨＤ受信機、ビデオソース、オーディオソース、ビデオシンク、オーディオシンク、ステレオチューナ、放送用無線受信機、フラットパネルディスプレイ、パーソナルメディアプレイヤ（ＰＶＲ）、デジタルビデオカメラ（ＤＶＣ）、デジタルオーディオプレイヤ、スピーカ、オーディオ受信機、オーディオ増幅器、ゲームデバイス、データソース、データシンク、デジタルスチルカメラ（ＤＳＣ）、有線若しくは無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、無線メトロポリタンエリアネットワーク（ＷＭＡＮ）通信システム、パーソナルエリアネットワーク（ＰＡＮ）、無線ＰＡＮ（ＷＰＡＮ）、既存のＩＥＥＥ  ８０２．１１規格（「８０２．１１規格」）に従って動作するデバイス及び／又はネットワークなどがある。既存のＩＥＥＥ  ８０２．１１規格は、例えばＩＥＥＥ  ８０２．１１（ＩＥＥＥ  ８０２．１１−２００７：（情報技術用規格）Ｓｔａｎｄａｒｄ  ｆｏｒ  Ｉｎｆｏｒｍａｔｉｏｎ  ｔｅｃｈｎｏｌｏｇｙ  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅn  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−  Ｓｐｅｃｉｆｉｃ  ｒｅｑｕｉｒｅｍｅｎｔｓ，  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｉｃａｌ  Ｌａｙｅｒ（ＰＨＹ）  Ｓｐｅｃｉｆｉｃａｔｉｏｎｓ−２００７年６月）、８０２．１１ｎ（「ＩＥＥＥ  ８０２．１１ｎ−２００９−Ａｍｅｎｄｍｅｎｔ  ５：Ｅｎｈａｎｃｅｍｅｎｔｓ  ｆｏｒ  Ｈｉｇｈｅｒ  Ｔｈｒｏｕｇｈｐｕｔ．  ＩＥＥＥ−ＳＡ．２００９年１０月２９日」）、８０２．１１ａｃ（「Ｖｅｒｙ  Ｈｉｇｈ  Ｔｈｒｏｕｇｈｐｕｔ＜６Ｇｈｚ」）、８０２．１１タスクグループａｄ（ＴＧａｄ）（「Ｖｅｒｙ  Ｈｉｇｈ  Ｔｈｒｏｕｇｈｐｕｔ  ６��ＧＨｚ」）などを含む。並びに／あるいは上記システム及びシステムには、ＩＥＥＥ８０２．１６規格（「８０２．１６規格」）に従って動作するデバイス及び／又はネットワークの将来のバージョン及び／又はその派生物も含まれる。ＩＥＥＥ８０２．１６規格は、８０２．１６（ＩＥＥＥ規格８０２．１６、２００４年版、Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ）８０２．１６ｄ、８０２．１６ｅ（ＩＥＥＥ規格８０２．１６ｅ、２００５年版  Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ）、８０２．１６ｆ、８０２．１６ｍ規格を含む。並びに／あるいは上記システム及びシステムには、既存のワイヤレス・ギガビット・アライアンス（ＷＧＡ）及び／又はワイヤレスＨＤ（商標）仕様に従って動作するデバイス及び／又はネットワークの将来のバージョン及び／又はその派生物、並びに／あるいは既存のセルラ仕様及び／又はプロトコル、例えば３ＧＰＰ、３ＧＰＰ  ＬＴＥ（Ｌｏｎｇ  Ｔｅｒｍ  Ｅｖｏｌｕｔｉｏｎ）に従って動作するデバイス及び／又はネットワークの将来のバージョン及び／又はその派生物、並びに／あるいは上記ネットワーク、一方向及び／又は双方向の無線通信システム、セルラ無線電話通信システム、セルラ電話、無線電話、パーソナル通信システム（ＰＣＳ）デバイス、無線通信デバイスを組み込んだＰＤＡデバイス、モバイル又はポータブル全地球測位システム（ＧＰＳ）デバイス、ＧＰＳ受信機又は送信機又はチップを組み込んだデバイス、ＲＦＩＤ要素又はチップを組み込んだデバイス、ＭＩＭＯ（Ｍｕｌｔｉｐｌｅ  Ｉｎｐｕｔ  Ｍｕｌｔｉｐｌｅ  Ｏｕｔｐｕｔ）送信機又はデバイス、１つ又は複数の内部アンテナ及び／又は外部アンテナを有するデバイス、デジタルビデオブロードキャスト（ＤＶＢ）デバイス又はシステム、マルチスタンダード無線デバイス又はシステム、無線又は有線のハンドヘルドデバイス（例えばＢｌａｃｋＢｅｒｒｙ（登録商標）、Ｐａｌｍ  Ｔｒｅｏ）、無線アプリケーションプロトコル（ＷＡＰ）デバイス等の一部である装置及び／又はデバイスの将来のバージョン及び／又は派生物も含まれる。
【００１３】
一部の実施形態が、１つ又は複数のタイプの無線通信信号及び／又はシステムとともに用いられることがある。そのような信号及び／又はシステムは、例えば無線周波数（ＲＦ）、赤外線（ＩＲ）、周波数分割多重化（ＦＤＭ）、直交周波数分割多重化（ＯＦＤＭ）、時間分割多重化（ＴＤＭ）、時間分割多重アクセス（ＴＤＭＡ）、拡張ＴＤＭＡ（Ｅ−ＴＤＭＡ）、汎用パケット無線システム（ＧＰＲＳ：Ｇｅｎｅｒａｌ  Ｐａｃｋｅｔ  Ｒａｄｉｏ  Ｓｅｒｖｉｃｅ）、拡張ＧＰＲＳ、コード分割多重アクセス（ＣＤＭＡ）、ワイドバンドＣＤＭＡ（ＷＣＤＭＡ）、ＣＤＭＡ  ２０００、シングルキャリアＣＤＭＡ、マルチキャリアＣＤＭＡ、マルチキャリア変調（ＭＤＭ）、離散マルチトーン（ＤＭＴ：Ｄｉｓｃｒｅｔｅ  Ｍｕｌｔｉ−Ｔｏｎｅ）、Ｂｌｕｅｔｏｏｔｈ（登録商標）、全地球測位システム（ＧＰＳ）、Ｗｉ−Ｆｉ（登録商標）、Ｗｉ−Ｍａｘ、ＺｉｇＢｅｅ（商標）、ウルトラワイドバンド（ＵＷＢ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、２Ｇ、２．５Ｇ、３Ｇ、３．５ＧのＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）などである。他の実施形態が様々な他のデバイス、システム及び／又はネットワークで用いられることもある。
【００１４】
本明細書で使用されるとき、「無線デバイス」という用語は、例えば無線通信の能力を有するデバイス、無線通信の能力を有する通信デバイス、無線通信の能力を有する通信局、無線通信の能力を有するポータブル若しくは非ポータブルデバイスなどを含む。一部の例示的な実施形態において、無線デバイスは、コンピュータと統合される周辺装置又はコンピュータに取り付けられる周辺装置としてもよく、又はそのような周辺装置を含んでもよい。一部の例示的な実施形態において、「無線デバイス」という用語が、無線サービスを提供するのに使用されることがある。
【００１５】
一部の例示的な実施形態が、６０ＧＨｚの周波数帯域により通信する無線通信ネットワークとともに用いられることがある。しかしながら、他の実施形態は、任意の他の適切な無線通信周波数帯域、例えば３０ＧＨｚと３００ＧＨｚの間の周波数帯域幅内の周波数帯域等の極高周波数（ＥＨＦ：Ｅｘｔｒｅｍｅｌｙ  Ｈｉｇｈ  Ｆｒｅｑｕｅｎｃｙ）帯域（ミリメータ波（ミリ波）周波数帯域）、ＷＬＡＮ周波数帯域、ＷＰＡＮ周波数帯域、ＷＧＡ仕様に従う周波数帯域などを用いて実装されることもある。
【００１６】
次に図１を参照する。図１は、一部の例示的な実施形態による無線通信システム１００のブロック図を概略的に図示している。
【００１７】
一部の例示的な実施形態において、システム１００は、無線通信チャネル１０３を介して無線通信信号を通信する能力を有する１つ又は複数のデバイス、例えばデバイス１０２及び１０４を含むことができる。例えばデバイス１０４は、１つ又は複数のアンテナ１０８により無線信号を送信することができる送信機１０２を含み、及び／又はデバイス１０２は、無線チャネル１０３を介して１つ又は複数のアンテナ１１０により無線信号を受信することができる受信機１１２を含むことができる。
【００１８】
一部の例示的な実施形態において、無線通信チャネル１０３は、例えば無線チャネル、ＩＲチャネル、ＲＦチャネル、ワイヤレスフェデリティ（ＷｉＦｉ）チャネル等を含む。
【００１９】
一部の例示的な実施形態において、アンテナ１０８及び／又は１１０は、無線通信信号、ブロック、フレーム、送信ストリーム、パケット、メッセージ及び／又はデータを送信及び／又は受信するのに適切な任意のタイプのアンテナを含むことができる。アンテナ１０８及び／又は１１０に使用することができるアンテナのタイプには、これらに限られないが、内部アンテナ、ダイポールアンテナ、全方向性アンテナ、モノポールアンテナ、エンドフェッドアンテナ、円偏光アンテナ、マイクロストリップアンテナ、ダイバーシティアンテナ、フェーズアレイアンテナナ等が含まれる。一部の実施形態において、アンテナ１０８及び／又は１１０は、別個の送信アンテナ要素と受信アンテナ要素を使用して送信機能と受信機能を実装することができる。
【００２０】
一部の例示的な実施形態において、デバイス１０２及び／又は１０４は、例えばＰＣ、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、ＰＤＡデバイス、ハンドヘルドＰＤＡデバイス、オンボードデバイス、オフボードデバイス、（例えば携帯電話の機能とＰＤＡデバイスの機能とを組み合わせた）ハイブリッドデバイス、消費者デバイス、車両デバイス、非車両デバイス、モバイル又はポータブルデバイス、非モバイル又は非ポータブルデバイス、セルラ電話、ＰＣＳデバイス、無線通信デバイスを組み込んだＰＤＡデバイス、モバイル又はポータブルＧＰＳデバイス、ＤＶＢデバイス、比較的小さなコンピューティングデバイス、非デスクトップコンピュータ、「Ｃａｒｒｙ  Ｓｍａｌｌ  Ｌｉｖｅ  Ｌａｒｇｅ（ＣＳＬＬ）」デバイス、ウルトラモバイルデバイス（ＵＭＤ）、ウルトラモバイルＰＣ（ＵＭＰＣ）、モバイルインターネットデバイス（ＭＩＤ）、「Ｏｒｉｇａｍｉ」デバイス又はコンピューティングデバイス、動的構成可能コンピューティング（ＤＣＣ：Ｄｙｎａｍｉｃａｌｌｙ  Ｃｏｍｐｏｓａｂｌｅ  Ｃｏｍｐｕｔｉｎｇ）をサポートするデバイス、コンテキスト認識デバイス、ビデオデバイス、オーディオデバイス、Ａ／Ｖデバイス、ＳＴＢ、ＢＤプレイヤ、ＢＤレコーダ、ＤＶＤプレイヤ、ＨＤ  ＤＶＤプレイヤ、ＤＶＤレコーダ、ＨＤ  ＤＶＤレコーダ、ＰＶＲ、放送用ＨＤ受信機、オーディオソース、ビデオシンク、オーディオシンク、ステレオチューナ、放送用無線受信機、フラットパネルディスプレイ、ＰＭＰ、ＤＶＣ、デジタルオーディオプレイヤ、スピーカ、オーディオ受信機、ゲームデバイス、オーディオ増幅器、データソース、データシンク、ＤＳＣ、メディアプレイヤ、スマートフォン、テレビジョン、音楽プレイヤ等を含むか、これらの一部として含まれることがある。
【００２１】
一部の例示的な実施形態において、デバイス１０２は、例えばプロセッサ１１４、入力装置１０６、出力装置１０８、メモリ装置１１０及び記憶装置１１１のうちの１つ又は複数を含むこともできる。デバイス１０２は、任意選択により他の適切なハードウェアコンポーネント及び／又はソフトウェアコンポーネントを含むことができる。一部の実施形態において、デバイス１０２のコンポーネントの一部又は全てを、共通のハウジング又はパッケージングに入れることができ、１つ又は複数の有線又は無線リンクを用いて相互接続するか、動作可能に関連付けることができる。他の実施形態において、デバイス１０２のコンポーネントを複数の又は別個のデバイス又は位置の間に分散させることができる。
【００２２】
プロセッサ１１４は、例えば中央処理ユニット（ＣＰＵ）、デジタル信号プロセッサ（ＤＳＰ）、１つ又は複数のプロセッサコア、シングルコアプロセッサ、デュアルコアプロセッサ、マルチコアプロセッサ、マイクロプロセッサ、ホストプロセッサ、コントローラ、複数のプロセッサ又はコントローラ、チップ、マイクロチップ、１つ又は複数の回路、電子回路、論理装置、集積回路（ＩＣ）、アプリケーション固有ＩＣ（ＡＳＩＣ）、あるいは任意の他の適切な汎用又は専用のプロセッサ又はコントローラを含む。プロセッサ１１４は、例えば無線通信デバイス１０２のオペレーティングシステム（ＯＳ）の命令、あるいは１つ又は複数の適切なアプリケーションの命令を実行する。
【００２３】
入力装置１０６は、例えばキーボード、キーパッド、マウス、タッチパッド、トラックボール、スタイラス、マイクロフォンあるいは他の適切なポインティングデバイス又は入力デバイスを含む。出力装置１０８は、例えばモニタ、スクリーン、フラットパネルディスプレイ、ブラウン管（ＣＲＴ）ディスプレイ装置、液晶（ＬＣＤ）ディスプレイ装置、プラズマディスプレイ装置、１つ又は複数のオーディオスピーカ又はイヤフォン、あるいは他の適切な出力デバイスを含む。
【００２４】
メモリ装置１１０は、例えばランダムアクセスメモリ（ＲＡＭ）、読み取り専用メモリ（ＲＯＭ）、ダイナミックＲＡＭ（ＤＲＡＭ）、同時性ＤＲＡＭ（ＳＤＲＡＭ）、フラッシュメモリ、揮発性メモリ、不揮発性メモリ、キャッシュメモリ、バッファ、短期記憶メモリ装置、長期記憶メモリ装置又は他の適切なメモリ装置を含む。記憶装置１１１は、例えばハードディスクドライブ、フロッピー（登録商標）ディスクドライブ、コンパクトディスク（ＣＤ）ドライブ、ＣＤ−ＲＯＭドライブ、ＤＶＤドライブ又は他の適切な取外し可能若しくは取外し不可能記憶装置を含む。メモリ装置１１０及び／又は記憶装置１１１は、例えば無線通信デバイス１０２によって処理されるデータを格納することができる。
【００２５】
一部の例示的な実施形態において、デバイス１０２は、無線通信信号１０７を、アンテナ１１０により無線通信チャネル１０３を介して例えば送信機１０６から受信することができる。
【００２６】
一部の例示的な実施形態において、信号１０７は、第１のサンプリングレートでサンプリングされるシングルキャリア（ＳＣ）アナログ信号を含む、第１の無線通信信号を含むことができる。例えば第１の信号は、第１のサンプリングレートにおける第１の複数の時間領域サンプルを表す。
【００２７】
一部の例示的な実施形態において、信号１０７は、第２のサンプリングレートでサンプリングされるアナログ信号を含む、第２の無線通信信号を含むことができる。例えば第２の信号は、第１のサンプリングレートとは異なる第２のサンプリングレート、例えば第１のサンプリングレートよりも大きい第２のサンプリングレートにおける第２の複数の時間領域サンプルを表す。例えば第２のサンプリングレートは、第１のサンプリングレートの１．５倍に等しくすることができる。
【００２８】
例えば第１の信号は、ＳＣ−ＦＤＥサンプリングレートでサンプリングされるＳＣ−ＦＤＥ信号を含むことができ、第２の信号はＯＦＤＭサンプリングレートでサンプリングされるＯＦＤＭ信号を含むことができる。
【００２９】
一部の例示的な実施形態において、デバイス１０２は、信号１０７を処理するように構成された１つ又は複数のＰＨＹ要素を含むことができる。例えばデバイス１０２は、例えば以下に説明されるように、第１の信号を処理するように構成された１つ又は複数のＰＨＹ要素、及び／又は第２の信号を処理するように構成された１つ又は複数のＰＨＹ要素を含むことができる。
【００３０】
一部の例示的な実施形態において、デバイス１０２は、第１の信号と第２の信号の双方を処理するように構成された１つ又は複数の共通ＰＨＹ要素１４４を含むことができる。例えば１つ又は複数のＰＨＹ要素１４４は、第１の信号を処理するように構成され、さらに、以下で詳細に説明されるように第２の信号を処理する能力も有する。
【００３１】
一部の例示的な実施形態において、共通ＰＨＹ要素１４４は、共通アナログデジタル変換器（ＡＤＣ）１２２を含むことができる。ＡＤＣ１２２は、第１の信号と第２の信号とを、共通のサンプリングレート、例えば第２のサンプリングレートを使用して処理するように構成される。第１の信号と第２の信号の双方をサンプリングするのに同じサンプリングレートを使用する、１つのＡＤＣ要素を実装することは有利なことである。例えば第１及び第２の異なるサンプリングレートに２つのＡＤＣを使用することにより、複雑性が増大することがある。
【００３２】
一部の例示的な実施形態において、受信機１０２は、例えば以下で図７を参照して説明されるように、周波数領域において、例えば性能損失を生じない第１の信号と第２の信号のより良い処理のために、統一的な設計で実装される。
【００３３】
一部の例示的な実施形態において、ＡＤＣ１２２は、第１の無線通信信号を、第２のサンプリングレートにおける第２の複数の時間領域サンプルを含むデジタル信号に変換することができる。
【００３４】
一部の例示的な実施形態において、デバイス１０２は、例えば以下で詳細に説明されるように、第２の複数の時間領域サンプルを含む上記のデジタル信号を、第１の複数の周波数領域サンプルに変換し、当該第１の複数の周波数領域サンプルを、第１のサンプリングレートにおける第２の複数の周波数領域サンプルに変換することができる。
【００３５】
一例において、信号１０７は、例えばＩＥＥＥ  ８０２．１１ＴＧａｄ仕様によって定義されるようなＳＣ−ＦＤＥ変調スキーマを使用して変調されるアナログ信号を含むことができる。
【００３６】
例えば送信機１０６は、ＳＣ−ＦＤＥ変調スキーマに従って信号１０７を生成するように構成されたＰＨＹ要素を含むことができ、ＳＣ−ＦＤＥ変調スキーマは、例えば１．７ギガヘルツ（ＧＨｚ）のサンプリングレート、０．３８ナノ秒（ｎｓ）のサンプリング時間、５１２の高速フーリエ変換（ＦＦＴ）サイズ、６４のガードインターバル（ＧＩ）サイズ、０．２９１マイクロ秒（μｓ）の逆高速フーリエ変換（ＩＦＦＴ）とフーリエ変換（ＦＦＴ）の周期及び３６．３ナノ秒（ｎｓ）のＧＩ期間を有する。例えば送信機１０６は、以下で説明されるように、スクランブラと、低密度パリティチェックサム（ＬＤＰＣ：Ｌｏｗ  Ｄｅｎｓｉｔｙ  Ｐａｒｉｔｙ  Ｃｈｅｃｋｓｕｍ）エンコーダと、コンステレーション（ｃｏｎｓｔｅｌｌａｔｉｏｎ）マッパと、サイクルプレフィックス（ＣＰ：Ｃｙｃｌｉｃ  Ｐｒｅｆｉｘ）を挿入してＳＣ−ＦＤＥ構造を形成するように構成されたフレーマとを含む、ベースバンドチェーンを含むことができる。
【００３７】
次に図２Ａを参照すると、図２Ａは、ＳＣ−ＦＤＥサンプリングレートでサンプリングされたＳＣ−ＦＤＥ信号の構造２０１を概略的に図示している。
【００３８】
図２Ａに示されるように、ＳＣ−ＦＤＥ構造２０１はＣＰ部分２１１を含み、ＣＰ部分２１１の後にデータ部分２１２が続く。例えば構造２０１は５１２個のシンボルを含み、このうち、ＣＰ部分２１１が、例えばゴーレイシーケンとして定義されるように６４個のシンボルを含み、及び／又はデータ部分２１２が４４８個のデータシンボルを含むことができる。
【００３９】
図１を再び参照すると、送信機１０６は、例えばデジタルアナログ変換器（ＤＡＣ：Ｄｉｇｉｔａｌ  ｔｏ  Ａｎａｌｏｇ  Ｃｏｎｖｅｒｔｅｒ）と、ローパス平方根二乗余弦（Ｓｑｕａｒｅ  Ｒｏｏｔ  Ｒａｉｓｅｄ  Ｃｏｓｉｎｅ）フィルタと、構造２０１（図２）に対応する信号１０７を送信するＲＦチェーンとを含むこともできる。
【００４０】
第２の例において、信号１０７は、例えばＩＥＥＥ８０２．１１ＴＧａｄ仕様によって定義されるようなＯＦＤＭ変調スキーマを使用して変調されるアナログ信号を含むことができる。
【００４１】
例えば送信機１０６は、ＯＦＤＭ変調スキーマに従って信号１０７を生成するように構成されたＰＨＹ要素を含むことができ、ＯＦＤＭ変調スキーマは、例えば２．６４ＧＨｚのサンプリングレート、０．３８ｎｓのサンプリング時間、５１２のＦＦＴサイズ、１２８のＧＩサイズ、５．１５６２５メガヘルツ（ＭＨｚ）のサブキャリア周波数間隔、０．１９４μｓのＩＦＦＴとＦＦＴの周期及び４８．４ｎｓのＧＩ期間を有する。
【００４２】
例えば送信機１０６は、ＳＣ−ＦＤＥ変調について上記したものと同様に、スクランブラと、低密度パリティチェックサム（ＬＤＰＣ）エンコーダと、コンステレーションマッパとを含むベースバンドチェーンを含むことができる。
【００４３】
一部の例示的な実施形態において、送信機１０６は、ＳＣ−ＦＤＥサンプリングレートの１．５倍のＯＦＤＭサンプリングレートを使用するＤＡＣ、及びＯＦＤＭ信号を含む信号１０７を送信するように構成されたＲＦチェーンを含むこともできる。
【００４４】
一部の実施形態において、共通ＰＨＹ要素１４４は、例えば上述のＯＦＤＭ信号とＳＣ−ＦＤＥ信号の双方など、ＯＦＤＭ信号とＳＣ−ＦＤＥ信号の双方を処理するように構成される。
【００４５】
一部の例示的な実施形態において、共通ＰＨＹ要素１４４は、共通ＰＨＹのＲＦチェーン要素を含む１つ又は複数のＲＦブロック１１５を含むことができ、ＲＦブロック１１５は、信号１０７を処理することによってアナログ信号１０５を生成するように構成される。
【００４６】
一部の例示的な実施形態において、受信機１１２は共通フィルタ１２１を含むことができ、共通フィルタ１２１は、例えば信号１０５の適切なパルス整形を実行して、信号１０５をフィルタリングしてフィルタリングされた信号１０９にするように構成される。例えばフィルタ１２１は、ＳＣ−ＦＤＥ周波数帯域用に構成されるローパス平方根二乗余弦（ＳＲＲＣ）フィルタを使用して実装されることがある。
【００４７】
ここで図６を参照する。図６は、ＯＦＤＭ周波数帯域６０１及びＳＣ−ＦＤＥ周波数帯域６０２と比較した、等しいロールオフファクタα＝０．５（等価のＲＲＣフィルタ）を有するＳＲＲＣフィルタの結合された周波数応答関数６０３が図示されている。例えばフィルタ１２１（図１）が周波数応答関数６０３を有することがある。
【００４８】
図６に示されるように、ＳＲＲＣフィルタ、例えばフィルタ１２１（図１）の周波数応答関数６０３は、ＳＣ−ＦＤＥ  ＰＨＹレイヤ設計において用いられる等しいロールオフファクタα＝０．５を有し、ＯＦＤＭ信号とＳＣ−ＦＤＥ信号の双方の処理に使用される。
【００４９】
図１に戻ると、一部の例示的な実施形態において、共通のＡＤＣ１２２は、ＳＣ−ＦＤＥサンプリングレートとは異なるサンプリングレートを使用して信号１０９をデジタル信号１１９に変換するように構成される。例えばＡＤＣ１２２は、例えば２．６４ＧＨｚのＯＦＤＭサンプリングレートを用いる。
【００５０】
例えば信号１１９は、ＯＦＤＭサンプリングレートでサンプリングされるＳＣ−ＦＤＥ信号を含むことがある。したがって、信号１１９の構造は、図２Ａを参照して上述したＳＣ−ＦＤＥ構造の信号構造とは異なるものとすることができる。
【００５１】
次に図２Ｂを参照すると、図２Ｂは、一部の例示的な実施形態に従ってＯＦＤＭサンプリングレートでサンプリングされたＳＣ−ＦＤＥ信号のシンボル構造２０２を、概略的に図示している。例えばデジタル信号１１９はシンボル構造２０２を有することができる。
【００５２】
図２Ｂに示されるように、シンボル構造２０２はＣＰ部分２２１を含み、ＣＰ部分２２１の後にデータ部分２２２が続く。例えば構造２０２は、ＯＦＤＭサンプリングレートで信号１０９をサンプリングしているため、（図２Ａの）構造２０１の１．５倍の数のサンプル、例えば７６８個のサンプルを含むことができる。この例によると、ＣＰ部分２２１は９６個のサンプルを含み、データ部分２２２は６７２個のサンプルを含むことができる。
【００５３】
図１に戻ると、一部の例示的な実施形態において、デバイス１０２は、例えば上述のように信号１１９を処理するように構成された、１つ又は複数のＳＣ−ＦＤＥ  ＰＨＹ要素１４７を含むことができる。
【００５４】
一部の例示的な実施形態において、受信機１２２は、ＣＰ部分２２１（図２Ｂ）を信号１１９から除去することによって、信号１１９を信号１２９へと整形するように構成されたフレーマ１２３を含むことができる。
【００５５】
一部の例示的な実施形態において、受信機１２２は、信号１２９の時間領域サンプルを、第１の複数の周波数領域サンプルを含む信号１３９に変換するように構成された、変換器１２４を含むことができる。例えば変換器１２４は、ＳＣ−ＦＤＥ信号のＦＦＴサイズの１．５倍のＦＦＴサイズ、例えば７６８のＦＦＴサイズを有する、拡張ＦＦＴを実装することができる。したがって、信号１３９は７６８個の周波数領域サンプルを含むことができる。
【００５６】
一部の例示的な実施形態において、受信機１２２は、信号１３９を、ＳＣ−ＦＤＥサンプリングレートにおける第２の複数の周波数領域サンプルを含む信号１４９にマッピングするように構成されたマッパ１２５を含むことができる。例えば信号１４９は、５２０個の周波数領域サンプルを含む。マッパ１２５は、信号１３９のスペクトルを、以下で図４を参照して説明されるように、エイリアスＳＣ−ＦＤＥスペクトルにマッピングすることができる。
【００５７】
一部の例示的な実施形態において、受信機１２２は、信号１４９をさらに処理するために、１つ又は複数のＳＣ−ＦＤＥ  ＰＨＹ要素を含むことができる。例えば受信機１２２は、チャネルイコライザ（ＣＥ：Ｃｈａｎｎｅｌ  Ｅｑｕａｌｉｚｅｒ）１２６、ＩＦＦＴ変換器１２７、並びに１つ又は複数の適切な時間領域要素１２８を含むことができる。
【００５８】
一部の例示的な実施形態において、受信機１２２は、例えばＯＦＤＭサンプリングレートでサンプリングされたＯＦＤＭ信号を含む信号１０７を処理する能力を有する。
【００５９】
一部の例示的な実施形態において、受信機１２２は、例えば下述するように信号１０７を処理するように構成された１つ又は複数のＯＦＤＭ  ＰＨＹ要素１５０を含むことができる。
【００６０】
例えばＯＦＤＭ要素１５０は、信号１０７がＯＦＤＭサンプリングレートのＯＦＤＭ信号を含むときに、信号１０７に対応するＡＤＣ１２２によって生成されるＯＦＤＭ信号１１９を処理する能力を有する、任意の適切なＯＦＤＭ要素を含むことができる。
【００６１】
次に図３Ａ及び３Ｂを参照する。図３Ａ及び３Ｂは、一部の例示的な実施形態による、ＳＣ−ＦＤＥサンプリングレートでサンプリングされたＳＣ−ＦＤＥ信号のスペクトル３０１、ＯＦＤＭサンプリングレートでサンプリングされたＳＣ−ＦＤＥ信号のスペクトル３０２をそれぞれ概略的に図示している。
【００６２】
一部の例示的な実施形態において、信号３０１は、例えば以下に図４を参照して説明するように、所定のマッピングスキーマに従って信号３０２のサンプルをマッピングすることにより、信号３０２から再構築されることが可能である。
【００６３】
次に図４を参照すると、図４は、ＯＦＤＭサンプリングレートに従ってサンプリングされたＳＣ−ＦＤＥ信号のスペクトル４１１を、ＳＣ−ＦＤＥサンプリングレートに対応するエイリアススペクトル（ａｌｉａｓｅｄ  ｓｐｅｃｔｒｕｍ）４１２にマッピングするためのマッピングスキーマを概略的に図示している。
【００６４】
例えば、マッパ１２５（図１）は７６８個の周波数領域サンプルを含む信号１３９（図１）を、５１２個の周波数領域サンプルを含む信号１４９にマッピングすることができる。
【００６５】
図４に示されるように、スペクトル４１１は、それぞれ「Ｂ１〜Ｂ６」と示されている周波数領域サンプルの６つのサブセットに分割することができ、スペクトル４１２は、それぞれ「Ａ１〜Ａ４」と示されている周波数領域サンプルの４つのサブセットを含むことができる。スペクトル４１１の６つのサブセットは概ね同じサイズ、例えば１２８サンプルのサイズを有することができる。スペクトル４１２の４つのサブセットも概ね同じサイズ、例えば１２８サンプルのサイズを有することができる。
【００６６】
一部の例示的な実施形態において、マッパ１２５（図１）は、スペクトル４１１の６つのサブセットをスペクトル４１２の４つのサブセットにマッピングすることができる。マッパ１２５（図１）は、例えば以下に説明されるように、スペクトル４１１の少なくとも２つのサブセットを組み合わせることによって、スペクトル４１２の少なくとも１つのサブセットを決定することができる。
【００６７】
一部の例示的な実施形態において、マッパ１２５（図１）は、例えばスペクトル４１１の第１のサブセットＢ１をスペクトル４１２の第１のサブセットＡ１にマッピングし、スペクトル４１１の第２のサブセットＢ２と第４のサブセットＢ４とをそれぞれスペクトル４１２の第２のサブセットＡ２にマッピングし、スペクトル４１１の第３のサブセットＢ３と第５のサブセットＢ５とをそれぞれスペクトル４１２の第３のサブセットＡ３にマッピングし、スペクトル４１１の第６のサブセットＢ６をスペクトル４１２の第４のサブセットＡ４にマッピングすることによって、スペクトル４１１の６つのサブセットをスペクトル４１２の４つのサブセットにマッピングすることができる。
【００６８】
例えばマッパ１２５は、スペクトル４１１の６つのサブセットを、例えば以下のようにスペクトル４１２の４つのサブセットにマッピングすることができる。
【００６９】
Ａ１＝    Ｂ１
Ａ２＝Ｂ２＋Ｂ４
Ａ３＝Ｂ３＋Ｂ５
Ａ４＝    Ｂ６            （１）
【００７０】
図５を参照すると、一部の例示的な実施形態に従って無線通信信号を処理する方法が概略的に図示されている。一部の例示的な実施形態において、図５の方法の動作のうちの１つ又は複数を、任意の適切な無線通信システム−例えばシステム１００（図１）、無線通信デバイス−例えばデバイス１０２（図１）、及び／又は無線通信装置−例えば受信機１１２（図１）によって実行することができる。
【００７１】
ブロック５０２において示されるように、方法は、第１のサンプリングレートでサンプリングされた第１の数のサンプルを含む第１の複数の時間領域サンプルを表す、アナログシングルキャリア無線通信信号を受信することを含む。例えばデバイス１０２は、例えば上述のように、１．７６ＧＨｚのサンプリングレートでサンプリングされた５１２個の時間領域サンプルを表す、アナログＳＣ−ＦＤＥ信号１０７（図１）を受信することができる。
【００７２】
ブロック５０３において示されるように、方法は、アナログシングルキャリア無線通信信号を、第１のサンプリングレートより大きい第２のサンプリングレートでサンプリングされる第２の数のサンプルを含む第２の複数の時間領域サンプルを含む、デジタル信号に変換することを含む。例えばＡＤＣ１２２（図１）は、アナログ信号１０９（図１）を、例えば上述のように２．６４ＧＨｚのＯＦＤＭサンプリングレートを使用する７６８個の時間領域サンプルを含むデジタル信号１１９（図１）に変換することができる。
【００７３】
ブロック５０４において示されるように、方法は、時間領域サンプルを、第２の数のサンプルを含む第１の複数の周波数領域サンプルに変換することを含む。例えば変換器１２４（図１）は、信号１２９（図１）の時間領域サンプルを、例えば上述のように７６８個の周波数領域サンプルを含む信号１３９（図１）へと変換することができる。
【００７４】
ブロック５０５において示されるように、時間領域サンプルを周波数領域サンプルに変換することは、高速フーリエ変換を時間領域サンプルに適用することを含むことができる。例えば変換器１２４（図１）は、上述のように７６８サンプルの高速フーリエ変換（ＦＦＴ）サイズを有するＦＦＴを実装することができる。
【００７５】
ブロック５０６に示されるように、方法は、第１の複数の周波数領域サンプルを、第１の数のサンプルを含む第２の複数の周波数領域サンプルにマッピングすることを含む。例えばマッパ１２５（図１）は、上述のように、７６８個の周波数領域サンプルを含む信号１３９（図１）を、５１２個の周波数領域サンプルを含む信号１４９（図１）にマッピングすることができる。
【００７６】
ブロック５０７に示されるように、第１の複数の周波数領域サンプルを、第２の複数の周波数領域サンプルにマッピングすることは、第１の複数の周波数領域サンプルの少なくとも２つのサブセットを組み合わせることによって、第２の複数の周波数領域サンプルの少なくとも１つのサブセットを決定することを含むことができる。例えばマッパ１２５（図１）は、スペクトル４１１（図４Ａ）の６つのサブセットをスペクトル４１２（図４Ｂ）の４つのサブセットにマッピングし、上述のようにスペクトル４１１（図４Ａ）の少なくとも２つのサブセットから結合されるスペクトル４１２（図４Ｂ）の少なくとも１つのサブセットを決定することができきる。
【００７７】
次に図７を参照すると、一部の例示的な実施形態による、３つの個々の受信機スキーマに対応する受信機性能曲線７０２、７０４及び７０６を示すグラフが概略的に図示されている。例えば性能曲線７０２、７０４及び７０６は、ＯＦＤＭサンプリングレートでサンプリングされたＳＣ−ＦＤＥ信号を再サンプリングするために、３つの個々の再サンプリングスキーマの性能曲線を表すことができる。
【００７８】
性能曲線７０２、７０４及び７０６は、信号対雑音比（ＳＮＲ：Ｓｉｇｎａｌ−Ｎｏｉｓｅ  Ｒａｔｉｏ）に対する、例えばチャネルイコライザ（ＣＥ）１２６などの等化後の平均二乗誤差（ＭＳＥ：Ｍｅａｎ−Ｓｑｕａｒｅ−Ｅｒｒｏｒ）の値を表す。
【００７９】
曲線７０２は、時間領域の理論上の再サンプリングスキーマを実装する受信機に対応する。このスキーマは例えば、無限の長さを使用し、それに応じて無限数の係数を有する時間領域のフィルタを必要とする、ホイタッカーシャノンの補間公式を使用する。
【００８０】
理論上の再サンプルスキーマを実装することは不可能であるので、一部の受信機は、有限の長さおよび有限数の係数を有する再サンプリングスキーマを近似した時間領域を実装することがある。例えば曲線７０４は、近似された時間領域の再サンプリングスキーマを実装する受信機に対応する。このスキーマは、有限数の係数を用いる補間フィルタを使用する。曲線７０６は、上述の例示的な実施形態による周波数領域の再サンプリングスキーマを実装する受信機に対応する。
【００８１】
図７から、曲線７０４によって表される近似された再サンプリングスキーマは、例えば曲線７０２によって表される時間領域の理論上のサンプリングスキーマと比べて性能低下をもたらすことがわかる。反対に、周波数領域の再サンプリングスキーマを表す曲線７０６は、時間領域の理論的な再サンプリングスキーマとほぼ等価な性能を有することができる。
【００８２】
本明細書において１つ又は複数の実施形態を参照しながら説明された関数、動作、コンポーネント及び／又は特徴を、本明細書において１つ又は複数の他の実施形態を参照しながら説明された１つ又は複数の他の関数、動作、コンポーネント及び／又は特徴と組み合わせることができ、あるいは上記１つ又は複数の他の関数、動作、コンポーネント及び／又は特徴の組み合わせとともに用いることもでき、またその反対も可能である。
【００８３】
本明細書では、本発明のある特定の特徴を図示し、説明してきたが、当業者は多くの修正、置換、変更及び均等物を思い付くであろう。したがって、添付の特許請求の範囲は、本発明の真の精神の範囲内にあるようなそのような修正及び変更を包含するように意図される。
【図１】
0005739069.tif 000002
【図２Ａ】
0005739069.tif 000003
【図２Ｂ】
0005739069.tif 000004
【図３Ａ】
0005739069.tif 000005
【図３Ｂ】
0005739069.tif 000006
【図４】
0005739069.tif 000007
【図５】
0005739069.tif 000008
【図６】
0005739069.tif 000009
【図７】
0005739069.tif 000010